(57)【要約】【課題】  操作性に優れ、かつ消費電力抑制効果の高い温水暖房システムを提供する。【解決手段】  暖房端末の遠隔操作装置３が上記熱源機１の電源回路４４から電力供給を受けるように構成された温水暖房システムにおいて、上記熱源機１側の電源回路４４と各遠隔操作装置３とを結ぶ電源ライン上にそれぞれ暖房端末側への電力供給を遮断するためのスイッチング素子４８を設ける。そして、スイッチング素子４８の動作を、熱源機１の遠隔操作装置２に設けられた操作手段２４の操作を通じて個別又は一括制御することで、各遠隔操作装置３への電力供給を制御する。【選択図】  図１
2006017327.tif 000002
【特許請求の範囲】
【請求項１】
熱源機から温水の供給を受けて暖房運転を行う１又は複数の暖房端末を有してなり、これら１又は複数の暖房端末の各遠隔操作装置がそれぞれ前記熱源機の電源回路から電力の供給を受けるように構成された温水暖房システムにおいて、
前記熱源機側の電源回路と前記暖房端末の各遠隔操作装置との間に、暖房端末側への電力供給を遮断可能に構成された電源遮断手段がそれぞれ設けられ、これら各電源遮断手段が前記熱源機の遠隔操作装置における操作部の所定操作により個別又は一括して制御可能に構成された
ことを特徴とする温水暖房システム。
【請求項２】
熱源機から温水の供給を受けて暖房運転を行う１又は複数の暖房端末を有してなり、これら１又は複数の暖房端末の各遠隔操作装置がそれぞれ前記熱源機の電源回路から電力の供給を受けるように構成された温水暖房システムにおいて、
前記暖房端末の遠隔操作装置の少なくとも何れか一つに、該遠隔操作装置の操作手段の所定操作または該遠隔操作装置の制御手段からの所定の電気信号により前記熱源機から供給される電力を遮断可能に構成されたリモコン側電源遮断手段が設けられている
ことを特徴とする温水暖房システム。
【請求項３】
前記リモコン側電源遮断手段を備えた暖房端末の遠隔操作装置に、該遠隔操作装置の操作手段の所定操作または該遠隔操作装置の制御手段からの所定の電気信号によって前記リモコン側電源遮断手段による電源遮断状態を解除する電源遮断解除手段が設けられていることを特徴とする請求項２に記載の温水暖房システム。
【請求項４】
前記リモコン側電源遮断手段を備えた暖房端末の遠隔操作装置に、前記リモコン側電源遮断手段の状態を電源遮断解除状態に保持する電源保持手段が設けられていることを特徴とする請求項２または３に記載の温水暖房システム。
【請求項５】
前記熱源機の遠隔操作装置は、該遠隔操作装置の操作手段の所定操作により、前記リモコン側電源遮断手段を備えた暖房端末の遠隔操作装置の制御手段に対して、前記リモコン側電源遮断手段の作動を指令する所定の電気信号を生成する信号生成手段を備えていることを特徴とする請求項２から４のいずれかに記載の温水暖房システム。
【請求項６】
前記暖房端末の遠隔操作装置は、当該遠隔操作装置動作用のバックアップ電源手段を備えていることを特徴とする請求項１から５のいずれかに記載の温水暖房システム。
【発明の詳細な説明】
【技術分野】
【０００１】
この発明は温水暖房システムに関し、より詳細には、夏場など暖房が不要な時期における暖房器具側の消費電力を抑制する技術に関する。
【背景技術】
【０００２】
従来、熱源機から温水の供給を受けて暖房運転を行う１又は複数の暖房器具（暖房端末）を備えた温水暖房システムにおいて、夏場など暖房が不要な時期に暖房端末側の消費電力を抑制する技術として、下記の特許文献１，２に示すものが提案されている。
【０００３】
特許文献１に示すものは、暖房端末の制御機器（遠隔操作装置）が熱源機の電源回路から電力供給を受けるように構成されるとともに、熱源機の遠隔操作装置のように１年間を通じて使用（通電）される遠隔操作装置にシーズン・オフ・スイッチを設け、このシーズン・オフ・スイッチをＯＮ操作することにより、上記熱源機の電源回路による各暖房端末の遠隔操作装置への電力供給が停止され、また、シーズン・オフ・スイッチをＯＦＦ操作することで各暖房端末の遠隔操作装置に熱源機から電力供給が開始されるように構成されている。
【０００４】
一方、特許文献２に示すものは、各暖房端末の遠隔操作装置にそれぞれオフシーズンスイッチを設け、このオフシーズンスイッチがＯＮ操作されると、その操作による操作信号が熱源機の制御部に伝送され、熱源機の制御部は、当該操作信号を送信した暖房端末の遠隔操作装置に対する電力供給を停止するように構成されている。そして、電力の復帰は、熱源機本体またはオフシーズンスイッチが設けられていない（換言すれば、電力供給が停止されることのない）遠隔操作装置に復帰スイッチを設けておき、この復帰スイッチの操作によって全ての遠隔操作装置に対する電力供給を同時に復帰させるように構成されている。
【０００５】
【特許文献１】特開２００２−３４９８８３号公報
【特許文献２】特開２００１−２１５０２４号公報
【発明の開示】
【発明が解決しようとする課題】
【０００６】
しかしながら、このような従来の温水暖房システムでは、以下のような問題点がありその改善が望まれていた。
【０００７】
すなわち、特許文献１に記載の温水暖房システムにあっては、シーズン・オフ・スイッチのＯＮ・ＯＦＦ操作により、各暖房端末の遠隔操作装置への電力供給の停止・復帰が一括して行われる、つまり、個々の暖房端末の遠隔操作装置への電力供給を個別に制御することができないため、いずれか一つの暖房端末の遠隔操作装置のみを使用する場合でも他の全ての暖房端末の遠隔操作装置に電力が供給される。そのため、この特許文献１に示す温水暖房システムでは、使用されない暖房端末にも電力供給が行われることがあるため、消費電力の抑制効果が高くなかった。
【０００８】
一方、特許文献２に記載の温水暖房システムにあっては、各暖房端末の遠隔操作装置のそれぞれにオフシーズンスイッチが設けられているので、各温水暖房端末の遠隔操作装置は個別に電力供給の停止操作を行えるが、一旦オフシーズンスイッチが操作されると、当該操作が行われた暖房端末側の通信回路への電源供給も停止される（つまり、当該遠隔操作装置は通信不能に陥る）ので、オフシーズンスイッチのある遠隔操作装置には復帰スイッチを設けることができない。そのため、一旦オフシーズンスイッチを操作すると、電力供給を復帰させるにはその都度熱源機または復帰スイッチの設けられた他の遠隔操作装置の所まで行かねばならず、電力の復帰操作が面倒であった。
【０００９】
しかも、上記復帰操作が行われると全ての遠隔操作装置に対する電力供給が復帰するので、電力供給を復帰させたくない遠隔操作装置がある場合には、復帰スイッチ操作後に再び当該遠隔操作装置のオフシーズンスイッチを操作しなければならず、当該作業が面倒なものとなっていた。
【００１０】
さらに、この引用文献２の温水暖房システムでは、各暖房端末の遠隔操作装置への電力供給を一括して停止することかできないので、暖房を使用しない夏場への移行時などには、全ての暖房端末について、個々にその遠隔操作装置のオフシーズンスイッチを操作しなければならず、その点でも操作性がよくないという問題があった。
【００１１】
また、上記特許文献１および２に記載の温水暖房システムは、いずれも暖房端末の遠隔操作装置への電力供給を停止させるための構成が、熱源機と該熱源機または暖房端末の遠隔操作装置とに分散しているため、いずれか一方のみでは上述した暖房端末の遠隔操作装置についての消費電力抑制効果を得ることができない。したがって、このような消費電力抑制機能を持たない熱源機に後付けで当該機能を備えた遠隔操作装置が設置されるような場合には、結果として暖房端末の遠隔操作装置の消費電力抑制機能が働かず、消費電力を抑制することができないという問題もあった。
【００１２】
本発明は、このような従来の問題点に鑑みてなされたものであって、その目的とするところは、操作性に優れ、かつ消費電力抑制効果の高い温水暖房システムを提供することを主たる目的とするとともに、熱源機の型式に依存することなく省電力化処理を実行可能な温水暖房システムを提供することにある。
【課題を解決するための手段】
【００１３】
上記目的を達成するため、請求項１に記載の温水暖房システムは、熱源機から温水の供給を受けて暖房運転を行う１又は複数の暖房端末を有してなり、これら１又は複数の暖房端末の各遠隔操作装置がそれぞれ上記熱源機の電源回路から電力の供給を受けるように構成された温水暖房システムにおいて、上記熱源機側の電源回路と上記暖房端末の各遠隔操作装置との間に、暖房端末側への電力供給を遮断可能に構成された電源遮断手段がそれぞれ設けられ、これら各電源遮断手段が上記熱源機の遠隔操作装置における操作手段の所定操作により個別又は一括して制御可能に構成されたことを特徴とする。
【００１４】
また、請求項２に記載の温水暖房システムは、熱源機から温水の供給を受けて暖房運転を行う１又は複数の暖房端末を有してなり、これら１又は複数の暖房端末の各遠隔操作装置がそれぞれ上記熱源機の電源回路から電力の供給を受けるように構成された温水暖房システムにおいて、上記暖房端末の遠隔操作装置の少なくとも何れか一つに、該遠隔操作装置の操作手段の所定操作または該遠隔操作装置の制御手段からの所定の電気信号により上記熱源機から供給される電力を遮断可能に構成されたリモコン側電源遮断手段が設けられていることを特徴とする。
【００１５】
また、請求項３に記載の温水暖房システムは、請求項２に記載の温水暖房システムにおいて、上記リモコン側電源遮断手段を備えた暖房端末の遠隔操作装置に、該遠隔操作装置の操作手段の所定操作または該遠隔操作装置の制御手段からの所定の電気信号によって上記リモコン側電源遮断手段による電源遮断状態を解除する電源遮断解除手段が設けられていることを特徴とする。
【００１６】
さらに、請求項４に記載の温水暖房システムは、請求項２または３に記載の温水暖房システムにおいて、上記リモコン側電源遮断手段を備えた暖房端末の遠隔操作装置に、上記リモコン側電源遮断手段の状態を電源遮断解除状態に保持する電源保持手段が設けられていることを特徴とする。
【００１７】
また、請求項５に記載の温水暖房システムは、請求項２から４のいずれかに記載の温水暖房システムにおいて、上記熱源機の遠隔操作装置は、該遠隔操作装置の操作手段の所定操作により、上記リモコン側電源遮断手段を備えた暖房端末の遠隔操作装置の制御手段に対して、上記リモコン側電源遮断手段の作動を指令する所定の電気信号を生成する信号生成手段を備えていることを特徴とする。
【００１８】
また、請求項６に記載の温水暖房システムは、請求項１から５のいずれかに記載の温水暖房システムにおいて、上記暖房端末の遠隔操作装置は、当該遠隔操作装置動作用のバックアップ電源手段を備えていることを特徴とする。
【発明の効果】
【００１９】
請求項１に記載の発明によれば、熱源機側の電源回路と暖房端末の各遠隔操作装置との間に、暖房端末側への電力供給を遮断する電源遮断手段がそれぞれ設けられ、これら各電源遮断手段が熱源機の遠隔操作装置により個別又は一括して制御可能に構成されているので、熱源機の遠隔操作装置を用いて各暖房端末への電力供給を個別に、または一括して停止／復帰させることができ、操作性に優れた温水暖房システムを提供することができる。
【００２０】
また、請求項２に記載の発明によれば、暖房端末の遠隔操作装置に、該遠隔操作装置の操作手段の所定操作または所定の電気信号により熱源機から供給される電力を遮断可能に構成されたリモコン側電源遮断手段が設けられていることから、当該遠隔操作装置を熱源機に接続するだけで、熱源機の型式（たとえば、熱源機に消費電力抑制機能があるか否か）に依存することなく暖房端末側での消費電力を抑制することができる。
【００２１】
また、請求項３に記載の発明によれば、暖房端末の遠隔操作装置に該遠隔操作装置の操作手段の所定操作または制御手段からの所定の電気信号によってリモコン側電源遮断手段による電源遮断状態を解除する電源遮断解除手段が設けられているため、暖房端末の遠隔操作装置の操作によって電力供給を個別に復帰させることができ、操作性に優れた温水暖房システムを提供することができる。
【００２２】
さらに、請求項４に記載の発明によれば、暖房端末の遠隔操作装置に電源遮断手段の状態を電源遮断解除状態に保持する電源保持手段が設けられていることから、たとえば遠隔操作装置の操作手段で電源遮断状態の解除操作を一旦行えば、以後はこの電源保持手段が動作を停止するまで暖房端末の遠隔操作装置に電力供給が継続される。
【００２３】
また、請求項５に記載の発明によれば、熱源機の遠隔操作装置に信号生成手段が備えられていることから、該遠隔操作装置の操作手段の所定操作によってリモコン側電源遮断手段を離れた場所から個別または一括して作動させることができ、操作性の優れた温水暖房システムを提供することができる。
【００２４】
また、請求項６に記載の発明によれば、上記暖房端末の遠隔操作装置に当該遠隔操作装置動作用のバックアップ電源手段を備えていることから、たとえば、当該バックアップ電源手段によりタイマを駆動させることにより、電源供給停止後においても自動的に電源遮断解除手段を動作させることができ、便利である。
【発明を実施するための最良の形態】
【００２５】
以下、本発明の温水暖房システムの実施形態を図面に基づいて詳細に説明する。
【００２６】
実施形態１
図１は、本発明に係る温水暖房システムの通信および電源系統の概略構成を示すブロック図であって、図において、１は熱源機、２は当該熱源機１の遠隔操作装置（以下、給湯器リモコンと称する）、３は上記熱源機１から温水の供給を受ける暖房端末（図示せず）の遠隔操作装置（以下、暖房リモコンと称する）を示している。なお、上記暖房リモコン３は、熱源機１に接続される暖房端末の台数に応じて１台又は複数台接続可能とされており、図示例ではこの遠隔操作装置３が２台（３ａ，３ｂ）接続された場合を示している。
【００２７】
上記熱源機１は、本実施形態では、カランやシャワー等への給湯（一般給湯機能）と温水暖房器具への温水供給（温水暖房機能）とを行う給湯暖房機で構成されるが、たとえば、上述した一般給湯機能、温水暖房機能に加えて風呂注湯機能や風呂追焚き機能を備えたものや、また、温水暖房機能専用の熱源機であってもよい。そして、この熱源機１には制御基板４が備えられており、この制御基板４は、図示のように、熱源機１の制御回路４１と、給湯器通信回路４２と、暖房通信回路４３と、電源回路４４と、電源遮断手段４５とを主要部として備えている。
【００２８】
上記制御回路４１は、上記給湯器リモコン２や暖房リモコン３との通信信号のやり取りや、熱源機１各部の動作制御等を行うための制御装置であって、図示しないマイコン（ＣＰＵ，ＲＯＭ，ＲＡＭ,等）を搭載して構成されている。そして、上記マイコンのＲＯＭには、後述する各種処理を実行するためのソフトウェアが記憶されている。
【００２９】
給湯器通信回路４２は、給湯器リモコン２との通信装置であって、上記制御回路４１とコネクタ４６とに接続されている。本実施形態では、この通信回路４２には、データの送受信とともに給湯器リモコン２に対して電力を供給する、いわゆる重畳伝送方式の通信装置が用いられており、この給湯器通信回路４２を介して給湯器リモコン２に供給される電力は、上記電源回路４４において生成・供給されている。
【００３０】
暖房通信回路４３は、上記熱源機１に接続される暖房リモコン３ａ，３ｂとの通信装置であって、上記制御回路４１とコネクタ４７ａ，４７ｂに接続されている。ここで、このコネクタ４７ａ，４７ｂには、それぞれ、図示のように、暖房リモコン３ａ，３ｂから回路グランドラインＬ１と、通信ラインＬ２と、電源ラインＬ３とが接続されており、上記暖房通信回路４３はコネクタ４７ａ，４７ｂを介して上記通信ラインＬ２と接続される。
【００３１】
電源回路４４は、図示しない商用電源から供給される交流電力を整流・平滑、及び電圧変換して、熱源機１の各部や上記給湯器リモコン２および暖房リモコン３に供給するための直流電力を生成する電源装置であって、この電源回路４４には、スイッチング電源などの安定化電源が好適に用いられる。なお、この電源回路４４で生成され、上記暖房リモコン３ａ，３ｂに供給するための直流電力は、図中示の符号Ｖａ，Ｖｂで示す電源端子に印加されている。
【００３２】
電源遮断手段４５は、上記電源回路４４と上記各暖房リモコン３ａ，３ｂとの間に介在して、熱源機１から各暖房端末側への電力供給を遮断するための回路であって、本実施形態では、この電源遮断手段４５は、暖房リモコン３ａ，３ｂ毎に電源ライン上に設けられるスイッチング素子４８ａ，４８ｂと、これらスイッチング素子４８ａ，４８ｂの動作を制御する素子制御回路４９とで構成される。
【００３３】
より詳細には、上記スイッチング素子４８ａはバイポーラトランジスタで構成され、そのエミッタ端子が上記電源端子Ｖａと接続されるとともに、コレクタ端子が上記コネクタ４７ａを介して暖房リモコン３ａの電源ラインＬ３ に接続され、ベース端子が上記素子制御回路４９に接続されている。また同様に、スイッチング素子４８ｂもバイポーラトランジスタで構成され、そのエミッタ端子が上記電源端子Ｖｂに接続されるとともに、コレクタ端子が上記コネクタ４７ｂを介して暖房リモコン３ｂの電源ラインＬ３ に接続されている。そして、さらにそのベース端子が上記素子制御回路４９に接続されている。
【００３４】
一方、素子制御回路４９は、上記制御回路４１からの制御信号に基づいて上記スイッチング素子４８ａ，４８ｂのＯＮ／ＯＦＦを個別に制御するための回路であって、入力側が上記制御回路４１に接続されるとともに、出力側が上記各スイッチング素子４８ａ，４８ｂのベース端子（制御端子）に接続されている。なお、この素子制御回路４９は、上記制御回路４１から暖房リモコン３への電力供給停止（電源遮断）の指令があるまでは、スイッチング素子４８ａ，４８ｂに駆動出力を行ってスイッチング素子４８ａ，４８ｂをＯＮの状態、つまり、上記電源回路４４から各暖房リモコン３ａ，３ｂに電力が供給される状態にしている。
【００３５】
給湯器リモコン２は、主として、上記熱源機１を遠隔操作するための操作装置であって、上記コネクタ４６および通信線Ｌを介して熱源機１に接続されている。より詳細には、この給湯器リモコン２は、図２に示すように、上記通信線Ｌが接続される通信インターフェイス手段２１と、上記通信線Ｌを介して供給される直流電力を通信信号と分離して装置各部に供給するリモコン電源手段２２と、上記通信インターフェイス手段２１を介して上記熱源機１と通信信号のやり取りや装置各部の制御を行う制御手段２３と、操作指令を入力する操作手段２４と、上記制御手段２３による制御によって同操作手段２４での操作内容や熱源機１の動作状態を表示する表示手段２５と、所定のデータ記憶領域を備えた記憶手段２６を主要部として備えている。なお、上記記憶手段２６としては、たとえば電気的にデータの消去／再書込が可能な不揮発性記憶装置（たとえばＥＥＰＲＯＭ）が好適に使用されるが、この記憶手段２６としては上記制御手段２３内部に設けられたデータ記憶領域（たとえば、ＲＯＭやＲＡＭ）を用いることも可能である。
【００３６】
ここで、上記操作手段２４は、装置表面に設けられた複数の操作スイッチで構成される。具体的には、本実施形態に示す給湯器リモコン２は、その操作手段２４として、給湯器リモコン２の運転／停止を操作する運転スイッチ２４ａ、給湯器リモコン２のモード切替や入力事項の確定などの操作のための設定スイッチ２４ｂ、入力事項の上方修正などの操作のためのアップスイッチ２４ｃ、入力事項の下方修正などの操作のためのダウンスイッチ２４ｄ、さらには本発明とは直接関係しないので詳細な説明は省略するが、呼出スイッチ２４ｅ、追いだきスイッチ２４ｆ、ふろ自動スイッチ２４ｇを備えている。
【００３７】
また、上記表示手段２５としては、文字や図形を自由に表示できる表示装置、たとえばドットマトリクス蛍光表示管表示装置や液晶表示装置が好適に使用される。
【００３８】
暖房リモコン３は、図示しない暖房端末のため（換言すれば暖房端末に供給される温水の温度調節等のため）の遠隔操作装置であって、上記コネクタ４７および回路グランドラインＬ１と、通信ラインＬ２と、電源ラインＬ３とを介して熱源機１に接続されている。より詳細には、この暖房リモコン３は、上記電源ラインＬ３を介して熱源機１から直流電力の供給を受けるとともに、通信ラインＬ２を介して熱源機の暖房通信回路４３との間で通信信号の送受信を行うように構成されている。なお、図において、符号３１で示すのは上記暖房通信回路４３との通信を行う通信回路、また、符号３２で示すのは暖房リモコン３の制御手段や表示手段などの負荷を示している。なお、符号３３で示すのは、暖房リモコン３側のコネクタである。
【００３９】
次に、このように構成された暖房システムにおける暖房リモコン３の消費電力抑制処理について図３および図４を用いて説明する。
【００４０】
図３は、給湯器リモコン２を用いて行う、暖房リモコン３の消費電力抑制処理手順の一例を示すフローチャートであり、図４は同手順における給湯器リモコン２の表示手段２５の表示態様の一例を示す説明図である。
【００４１】
給湯器リモコン２で上記消費電力抑制処理を実行するにあたっては、まず、操作手段２４の所定操作により給湯器リモコン２を上記消費電力抑制処理手順に突入させる。本実施形態では、この所定操作は上記設定スイッチ２４ｂで所定の設定モードに入り、この設定モード下で表示手段２５に表示される項目のうちから上記アップスイッチ２４ｃまたはダウンスイッチ２４ｄを用いて給湯器リモコン２を消費電力抑制処理手順に突入させる項目を選択することにより行う。
【００４２】
給湯器リモコン２が、暖房リモコン３の消費電力抑制処理手順に突入すると、上記表示手段２５には、図４(a)に示すように、「一括操作」「個別操作」のいずれによるかを尋ねる画面が表示される（図３ステップＳ１参照）。この状態で、上記アップスイッチ２４ｃを操作すると、「一括操作」が選択され、ダウンスイッチ２４ｄを操作すると「個別操作」が選択される。
【００４３】
そこで、まず「一括操作」を選択した場合について説明する。この一括操作は、熱源機１に接続されている全ての暖房リモコン３ａ，３ｂをまとめて（一括して）操作するための項目であり、この一括操作が選択されると、上記表示手段２５には、図４(b)に示すように、「全て遮断」「全て通電」のいずれの操作を行うかを尋ねる画面が表示される（図３ステップＳ２参照）。
【００４４】
そして、この状態で上記アップスイッチ２４ｃの操作により「全て遮断」が選択されると、給湯器リモコン２の制御手段２３から熱源機１の制御回路４１に向けて、全ての暖房リモコン３に対する電力供給の停止を指示する旨の指令を含んだ通信信号が送信される。これにより熱源機１の制御回路４１から上記素子制御回路４９に対して全ての暖房リモコン３ａ，３ｂへの電力供給停止を指示する制御信号が出力され、素子制御回路４９は全てのスイッチング素子４８ａ，４８ｂへの駆動出力を停止し、スイッチング素子４８ａ，４８ｂはＯＦＦとなる。これにより、全ての暖房リモコン３ａ，３ｂへの電力供給が停止される（図３ステップＳ３参照）。
【００４５】
これに対して、上記図４(b)の画面において、ダウンスイッチ２４ｄの操作により「全て通電」が選択されると、給湯器リモコン２の制御手段２３から熱源機１の制御回路４１に向けて、全ての暖房リモコン３に対して電力供給の開始（再開）を指示する指令を含んだ通信信号が送信される。これにより熱源機１の制御回路４１から上記素子制御回路４９に対して全ての暖房リモコン３ａ，３ｂへの電力供給を指示する制御信号が出力され、素子制御回路４９は全てのスイッチング素子４８ａ，４８ｂに駆動出力を行い、スイッチング素子４８ａ，４８ｂをＯＮにする。これにより、全ての暖房リモコン３ａ，３ｂへの電力供給が開始される（図３ステップＳ４参照）。
【００４６】
次に、「個別操作」を選択した場合について説明する。この個別操作は、熱源機１に接続されている暖房リモコン３ａ，３ｂのうちから特定のリモコンを選択して操作するための項目で、この個別操作が選択されると、上記表示手段２５には、図４(c)に示すような画面が表示される。この画面は、対象となる暖房リモコン３の特定と、特定した暖房リモコン３に対して「通電」「遮断」のいずれの操作を行うかを尋ねる画面である。
【００４７】
ここで、暖房リモコン３の特定は、たとえば、表示手段２５に暖房リモコン３の設置場所を表示し、上記アップスイッチ２４ｃを１回押し下げするごとに暖房リモコン３の設置場所を示す表示が切り替わり、この操作によって所望の暖房リモコン３を選択する方法が好適に採用される（図３ステップＳ５参照）。この場合、給湯器リモコン２には、あらかじめ、個々の暖房リモコン３ａ，３ｂと対応させてそれらの設置場所が上記記憶手段２６に登録される。そして、暖房リモコン３の選択にあたっては、この登録された設置場所が「居間」「台所」といったように表示される。なお、図示例では、暖房リモコン３の選択をリモコンの設置場所の表示によって行わせる場合を示したが、設置場所に代えてたとえば機種名や番号など設置場所以外の項目を記憶手段２６に登録させておき、これらを表示して暖房リモコン３を選択・特定させることも可能である。
【００４８】
なお、図示例では、設置場所として「居間」が選択された場合が示されており、この状態で、次にダウンスイッチ２４ｄの操作により「通電」「遮断」の別が選択される（図３ステップＳ６参照）。すなわち、ダウンスイッチ２４ｄを１回押し下げするごとに「通電」「遮断」の表示が相互に切り替わるように構成されている。
【００４９】
そして、上記ダウンスイッチ２４ｄの操作で「遮断」が選択されると、給湯器リモコン２の制御手段２３から熱源機１の制御回路４１に向けて、選択された暖房リモコン３（たとえば「居間」に対応するリモコンは暖房リモコン３ａとする）に対する電力供給を停止させる指示を含んだ通信信号が送信される。これにより熱源機１の制御回路４１から上記素子制御回路４９に対して暖房リモコン３ａへの電力供給停止を指示する制御信号が出力される。これを受けた素子制御回路４９は、電源端子Ｖａに接続されたスイッチング素子４８ａへの駆動出力を停止し、スイッチング素子４８ａをＯＦＦとして暖房リモコン３ａへの電力供給を停止させる（図３ステップＳ７参照）。
【００５０】
一方、上記図３ステップＳ５において、アップスイッチ２４ｃにより暖房リモコン３ｂを選択する操作がなされ、その状態で図３ステップＳ６でダウンスイッチ２４ｄにより「遮断」が選択されると、給湯器リモコン２の制御手段２３から熱源機１の制御回路４１に向けて、選択された暖房リモコン３ｂ（たとえば暖房リモコン３ｂの設置場所は「台所」とする）に対する電力供給を停止させる指示を含んだ通信信号が送信される。これにより、熱源機１の制御回路４１から上記素子制御回路４９に対して暖房リモコン３ｂへの電力供給停止を指示する制御信号が出力される。これにより、素子制御回路４９は電源端子Ｖｂに接続されたスイッチング素子４８ｂへの駆動出力を停止し、その結果、スイッチング素子４８ｂがＯＦＦとなって暖房リモコン３ｂへの電力供給が停止される（図３ステップＳ７参照）。
【００５１】
そして、本実施形態では、このように個別操作による暖房リモコン３への電源遮断が行われると、上記制御回路４１は、選択された暖房リモコン、換言すれば、電源供給を停止させた暖房リモコンが３ａまたは３ｂのいずれであるかを特定するデータ（遮断リモコン特定データ）を上記記憶手段２６に記憶させる（図３ステップＳ８参照）。そして、上記制御回路４１は、このデータを利用して、たとえば、上記個別操作で暖房リモコン３ａへの電源供給を遮断させた後に（個別操作による電力供給の再開がなされる前に）、一括操作で「全て通電」が選択されたような場合には、記憶手段２６の遮断リモコン特定データに基づいて特定される暖房リモコン３への電源供給は行わないようにプログラミングされる。これにより、一括操作で「全て通電」を選択した場合でも、特定の暖房リモコン３については電力供給を行わないようにすることができ、ユーザーの利便性を高めることができる。また、その際、上記プログラミングに際して、このような処理を行うか否の選択をユーザー側で選択できるように設定することにより、より一層利便性を高めることができる。
【００５２】
なお、本実施形態では、このような図３ステップＳ８の処理を行う場合を示したが、たとえば、個別操作による電源遮断中のリモコンがあるときに一括操作で「全て通電」が選択されると一律に全てのリモコンへの通電が再開されるようにプログラミングされる場合には、この図３ステップＳ８を省略することができる。
【００５３】
これに対して、図３ステップＳ６において、上記ダウンスイッチ２４ｄの操作で「通電」が選択されると、給湯器リモコン２の制御手段２３から熱源機１の制御回路４１に向けて、選択された暖房リモコン３（たとえば暖房リモコン３ａとする）に対する電力供給を開始させる指示を含んだ通信信号が送信される。これにより熱源機１の制御回路４１から上記素子制御回路４９に対して暖房リモコン３ａへの電力供給の開始を指示する制御信号が出力され、素子制御回路４９は電源端子Ｖａに接続されたスイッチング素子４８ａに駆動出力を与え、スイッチング素子４８ａをＯＮとして暖房リモコン３ａへの電力供給を開始させる（図３ステップＳ９参照）。なお、図３ステップＳ５において、暖房リモコン３ｂが選択された場合には、上述したのとほぼ同様の手順で、素子制御回路４９から電源端子Ｖｂに接続されたスイッチング素子４８ｂに駆動出力が行われ、スイッチング素子４８ｂがＯＮとなって暖房リモコン３ｂへの電力供給が開始される（図３ステップＳ９参照）。
【００５４】
このように、本発明の第１の実施形態によれば、熱源機１側の電源回路４４と上記暖房端末の各暖房リモコン３ａ，３ｂとの間に、暖房端末側への電力供給を遮断する電源遮断手段４５がそれぞれ設けられ、これら各電源遮断手段４５が給湯器リモコン２における操作手段２４の所定操作により個別又は一括して制御可能に構成されているので、ユーザは暖房リモコン３の電源を遮断するにあたり、暖房リモコン３が設置された各部屋を回る必要がなくなり、使い勝手のよい温水暖房システムを提供することができる。
【００５５】
実施形態２
次に、本発明の第２の実施形態について図５および図６に基づいて説明する。この第２の実施形態は、上記第１の実施形態の改変例であって、第１の実施形態では熱源機側に設けられていた電源遮断手段を暖房リモコン側に設けたことを主たる特徴とする。したがって、以下の説明においては、実施形態１と構成が共通する部分については同一の符号を付して説明を省略する。
【００５６】
すなわち、この第２の実施形態に示す温水暖房システムは、図５に示すように、熱源機１と、給湯器リモコン２と、暖房端末（図示せず）と、暖房リモコン３とから構成され、上記熱源機１には制御基板４が設けられている。そして、この制御基板４には、熱源機１の制御回路４１と、給湯器通信回路４２と、暖房通信回路４３と、電源回路４４とが主要部として備えられている点は上記第１の実施形態と同様である。
【００５７】
ただし、本実施形態では電源遮断手段が暖房リモコン側に設けられているので、上記電源回路４４で生成される暖房リモコン３用の直流電力は電源遮断手段を介することなく電源端子Ｖａ，Ｖｂに印加され、この電源端子Ｖａ，Ｖｂがそれぞれ各暖房リモコン３ａ，３ｂの電源ラインＬ３に接続されている。
【００５８】
図６は、暖房リモコン３の概略構成の一例を示すブロック図であり、図示のように、本実施形態に示す暖房リモコン３は、上述した通信回路３１と、上記負荷３２の一部を構成する制御回路（暖房リモコンの制御手段）３２１と、コネクタ３３とに加え、リモコン側電源遮断手段３４と、電源保持回路（電源保持手段）３５と、バックアップ電源回路（バックアップ電源手段）３６とを主要部として備えている。なお、図において、符号３９は、暖房リモコン３に設けられる各種操作スイッチ等で構成された操作手段である。また、上記バックアップ電源回路３６は、任意に設けられる回路であり、図５に示す暖房リモコン３ａはこのバックアップ電源回路３６を備えない場合を示している。
【００５９】
以下においては、図６に基づいて上記バックアップ電源回路３６を備えたタイプの暖房リモコン３の構成および動作について説明する。なお、図６において、上記通信回路３１は、熱源機１からの通信信号を受信するためのフォトカプラ３１１と、熱源機１に通信信号を送信するためのフォトカプラ３１２を主要部として備えている。
【００６０】
ここで、通信回路３１の構成、動作は公知であるのでここでは詳細な説明は省略するが、本発明に関連する範囲でその構成の概要を説明すると、この通信回路３１は、図示のように、上記フォトカプラ３１１のダイオードのアノード端子がコネクタ３３を介して上記電源ラインＬ３と接続されるとともに、そのカソード端子が上記フォトカプラ３１２のトランジスタのコレクタ端子に接続され、さらに該フォトカプラ３１２のトランジスタのエミッタ端子が抵抗３１３およびコネクタ３３を介して上記通信ラインＬ２に接続されている。また、上記フォトカプラ３１１のトランジスタのコレクタ端子と、上記フォトカプラ３１２のダイオードのアノード端子とがそれぞれ上記制御回路３２１に接続されている。
【００６１】
上記リモコン側電源遮断手段３４は、暖房リモコン３の操作手段３９の所定操作または制御回路３２１からの所定の電気信号を受け付けて、上記熱源機１から暖房リモコン３に供給される直流電力を遮断可能にしたものであって、本実施形態では、スイッチング素子３７と、このスイッチング素子３７の動作を制御するスイッチ３８および電源保持回路３５を主要部として構成されている。
【００６２】
上記スイッチング素子３７はバイポーラトランジスタで構成され、そのエミッタ端子が上記コネクタ３３の電源ラインＬ３に接続されるとともに、コレクタ端子が所定の電圧を生成する図示しないレギュレータを介して制御回路３２１に接続されている。なお、このスイッチング素子３７のコレクタ端子は、図示しないが、上記制御回路３２１以外の負荷（たとえば表示手段など）にも他のレギュレータを介して接続されている（また、後述する電源回路３６は上記図示しないレギュレータの入力端子側あるいはその出力端子側に備えられ、制御回路３２１に接続されている）。そして、このスイッチング素子３７のベース端子は抵抗３７１とスイッチ３８の直列回路を介して回路グランドに接続され、電源遮断状態において、このスイッチ３８が閉成されるとスイッチング素子３７がＯＮ（電源遮断解除状態）となって、制御回路３２１等に熱源機１からの電力が供給される。つまり、このスイッチ３８は、電源遮断状態を解除する電源遮断解除手段として機能する。
【００６３】
上記電源保持回路３５は、その一端が上記抵抗３７１とスイッチ３８との間に接続され、他端が制御回路３２１に接続された回路であって、上記スイッチ３８が閉成されてスイッチング素子３７がＯＮとなると、このスイッチング素子３７のＯＮ状態（電源遮断解除状態）を保持するように構成されている。そのため、本実施形態では、上記スイッチ３８には、通常時開放のスイッチ回路（たとえば、このスイッチ３８は、操作手段３９として設けられる操作スイッチで構成され、当該操作スイッチの押圧操作によってスイッチの接点が閉状態となり、押圧状態を解除すると復元力によってスイッチの接点が開状態に復帰するタイプのスイッチ回路）で構成される。そして、このスイッチ３８が一旦閉成されてスイッチング素子３７がＯＮ（電源遮断解除状態）となると、その後は上記スイッチ３８が開状態に復帰しても、上記電源保持回路３５によりスイッチング素子３７のＯＮ状態が保持されるように構成されている。
【００６４】
このように、電源保持回路３５は上記スイッチ３８の閉成動作によるスイッチング素子３７のＯＮ動作をトリガとして動作が開始されるが、さらに本実施形態では、この電源保持回路３５は、上記制御回路３２１から与えられる所定の電気信号をトリガとしても動作開始するように構成される。すなわち、本実施形態では、上記スイッチ３８の閉成動作がなされない場合でも、制御回路３２１による制御によって電源保持回路３５が動作し、スイッチング素子３７をＯＮ状態にさせることができるように構成されている。
【００６５】
したがって、本実施形態によれば、上記暖房リモコン３の操作手段３９の所定操作（スイッチ３８の閉成操作）により、当該操作が行われた暖房リモコン３への電力供給を個別に開始（または再開）させることかできるとともに、上記所定操作によらない場合でも、上記制御回路３２１の独自の制御により、暖房リモコン３への電力供給を個別に開始（または再開）させることができる。なお、この制御手段３２１による電源保持回路３５の動作開始処理については後述する。
【００６６】
一方、上記電源保持回路３５の動作停止は、上述した動作開始の場合と同様に、暖房リモコン３の操作手段３９の所定操作（この所定操作は、上述した動作開始操作（つまり、スイッチ３８の閉成操作）とは異なる操作スイッチの操作）、または、制御回路３２１からの所定の電気信号によって電源保持回路３５が停止するように構成される。
【００６７】
ここで上記電源保持回路３５が動作を停止すると、上記スイッチ３８は開放状態にあることからスイッチング素子３７のベース端子が開放され、その結果、スイッチング素子３７がＯＦＦとなって熱源機１からの電源供給が停止する。つまり、電源保持回路３５の動作停止により暖房リモコン３への電力供給が停止される。
【００６８】
ところで、上述したように、本実施形態に示す上記電源保持回路３５は、制御回路３２１からの所定の電気信号によってその動作を停止するように構成されていることから、たとえば給湯器リモコン２との通信によって暖房リモコン３側の電源保持回路３５の動作を停止させ、当該暖房リモコン３への電力供給を停止させることができる。
【００６９】
すなわち、上記給湯器リモコン２の操作手段２４の所定操作に応じて、制御手段２３が当該操作によって個別または一括指定された暖房リモコン３に対して電源保持回路３５の動作停止を指令する電気信号を生成・送信するようにプログラミングしておくことにより、上記操作手段２４で上記所定操作がなされると、給湯器リモコン２の制御手段２３で生成された電気信号が熱源機１の給湯器通信回路４２、制御回路４１、暖房通信回路４３を介して暖房リモコン３の制御回路３２１に伝送され、これによりかかる電気信号を受信した暖房リモコン３の制御回路３２１が電源保持回路３５の動作を停止させて暖房リモコン３側の電力供給を停止させるように構成することができる。なお、この場合は、上記給湯器リモコン２の制御手段２３が、リモコン側電源遮断手段３４の作動を命ずる電気信号を生成するための信号生成手段を構成することとなる。
【００７０】
上記バックアップ電源回路３６は、熱源機１からの電力供給が停止した状態でも暖房リモコン３（特に、制御回路３２１）を動作させるように設けられた二次電源回路であって、本実施形態ではこの電源回路３６として充電可能な蓄電池が好適に用いられる。すなわち、この電源回路３６は、ダイオード３６１を介して上記スイッチング素子３７のコレクタ端子に接続され、熱源機１から電力が供給されている際には充電されるとともに、熱源機１からの電力供給が停止した際には、上記制御回路３２１に電力を供給するように構成されている。
【００７１】
そして、このバックアップ電源回路３６は、上述したように、暖房リモコン３に任意に設けられるものであって、このバックアップ電源回路３６を設けることにより、たとえば、上記制御回路３２１の内部クロックをタイマ（計時手段）として用い、さらに操作手段３９によりこのタイマ作動時間を設定可能にしておくことで、予め設定されたタイマのカウントアップで、上記制御回路３２１から電源保持回路３５に対して動作を停止させる電気信号を出力させることができる。つまり、このバックアップ電源回路３６を設けることで、リモコン側電源遮断手段３４が作動して暖房リモコン３への電力供給が停止している場合でも、タイマにより一定日時経過後に当該暖房リモコン３への電力供給を再開させ暖房リモコン３を自動的に復帰させることができるようになる。
【００７２】
以上、詳述したように、本発明の第２の実施形態によれば、暖房リモコン３に、同リモコン３の操作手段３９の操作に応じて熱源機１からの供給電力を遮断するリモコン側電源遮断手段３４が設けられていることから、暖房リモコン３を熱源機１に接続するだけで、換言すれば、熱源機１の型式（たとえば熱源機１側に電源遮断機能があるか否かの別）に依存することなく暖房端末側独自で消費電力を抑制する処理を実行することができる。
【００７３】
しかも、このリモコン側電源遮断手段３４は、暖房リモコン３の操作手段３９の操作だけでなく給湯器リモコン２の操作手段２４の操作や制御回路３２１のタイマなどによっても制御可能であることから、使い勝手のよい温水暖房システムを提供することができる。
【００７４】
さらに、このリモコン側電源遮断手段３４は、他の暖房リモコン３とは独立して動作するものであるため、熱源機１に複数の暖房リモコン３が接続されているような場合でも、所望の暖房リモコン３のみを選んで電力供給を停止させることができる。
【００７５】
なお、上述した実施形態はあくまでも本発明の好適な実施態様を示すものであって、本発明はこれらに限定されることなくその範囲内で種々の設計変更が可能である。
【００７６】
たとえば、上述した実施形態では、熱源機１に暖房リモコン３を２台接続した場合を示したが、熱源機１に接続される暖房リモコン３の数は１台でもよく、また３台以上の複数であってもよい。
【００７７】
また、上記実施形態１に示した消費電力抑制処理手順のスイッチ操作や画面表示はあくまでも一例を示すものであり適宜設計変更可能であることはもちろんである。
【００７８】
また、上記実施形態２において、給湯器リモコン２から暖房リモコン３への電力供給を停止させる場合についても言及したが、その場合、給湯器リモコン２の記憶手段２６を利用して、「個別」「一括」操作を可能にし、また、一括操作で「通電」が選択された場合に上記遮断リモコン特定データを用いて一部の暖房リモコン３には通電させないように構成できることは実施形態１の場合と同様である。
【００７９】
また、上記実施形態２において、暖房リモコン３の制御回路３２１にタイマを設けて暖房リモコン３への電力供給を自動的に復帰させる構成を示したが、たとえば実施形態１における給湯器リモコン２の制御手段２３に同様のタイマを設けることにより、実施形態１に示す暖房システムにおいてもタイマのカウントアップで暖房リモコン３への電力供給が自動的に再開されるように構成することも可能である。
【００８０】
なお、上述した実施形態１で給湯器リモコン２の制御手段２３にタイマを設ける場合や、実施形態２で暖房リモコン３の制御回路３２１にタイマを設ける場合、これらタイマを用いて電源遮断手段４５やリモコン側電源遮断手段３４を作動させて、暖房リモコン３への電力供給を自動的に停止させることもできるのはもちろんである。
【００８１】
さらに、上述した実施形態２では、上記スイッチ３８は、スイッチング素子３７のＯＮ状態（電源遮断解除状態）にさせる場合にのみ用いたが、たとえば、スイッチ３８と上記制御回路３２１とを信号線で接続し、スイッチング素子３７がＯＮ状態にある時にスイッチ３８が閉成されると、その接点信号により制御回路３２１が電源保持回路３５の動作を停止させるように構成することも可能である。なお、その場合、制御回路３２１による電源保持回路３５の動作を停止させるタイミングは、スイッチ３８の閉成と同時であってもよいし、また、閉成から所定時間経過後に停止させるように設定しておくことも可能である。
【００８２】
また、上述した実施形態１および２においては、電源遮断手段３４，４５が熱源機１あるいは暖房リモコン３のいずれかに備えられる構成を説明したが、コネクタ４７ａ，４７ｂの他のコネクタであるコネクタ４７ｃ，４７ｄ，…には熱源機１および暖房リモコン３側のいずれにも電源遮断手段を備えない暖房リモコン３、あるいは暖房リモコン３に代えて他の暖房端末装置（たとえば温水暖房浴室乾燥機）が接続されていてもよい。なお、それら電源遮断手段を備えない部分は常時通電となる。
【図面の簡単な説明】
【００８３】
【図１】本発明の実施形態１に示す温水暖房システムの通信および電源系統の概略構成を示すブロック図である。
【図２】同温水暖房システムにおける給湯器リモコンの概略構成を示すブロック図である。
【図３】同温水暖房システムにおける暖房リモコンの省電力化処理手順の一例を示すフローチャートである。
【図４】同温水暖房システムにおける暖房リモコンの省電力化処理手順実行時における給湯器リモコンの表示手段の表示態様を示している。
【図５】本発明の実施形態２に示す温水暖房システムの通信および電源系統の概略構成を示すブロック図である。
【図６】同温水暖房システムの暖房リモコンの概略構成を示すブロック図である。
【符号の説明】
【００８４】
１            熱源機
２            熱源機の遠隔操作装置（給湯器リモコン）
２４          給湯器リモコンの操作手段
２５          給湯器リモコンの表示手段
３            暖房端末の遠隔操作装置（暖房リモコン）
３１          暖房リモコンの通信回路
３２１        暖房リモコンの制御回路（制御手段）
３４          リモコン側電源遮断手段
３５          電源保持回路
３６          バックアップ電源回路（バックアップ電源手段）
４            制御基板
４１          熱源機の制御回路
４２          給湯器通信回路
４３          暖房通信回路
４４          電源回路
４５          電源遮断手段
４８          スイッチング素子
４９          素子制御回路
【図１】
2006017327.tif 000003
【図２】
2006017327.tif 000004
【図３】
2006017327.tif 000005
【図４】
2006017327.tif 000006
【図５】
2006017327.tif 000007
【図６】
2006017327.tif 000008